(57)【要約】【課題】電気やガスが不要でありながら、寒暑を問わず快適に使用することのできる寝具を提供する。【解決手段】寝具１は、敷寝具又は掛寝具として用いられる寝具であって、シート１０、シート２０、及び中間層３０を備えている。シート１０の一部は、平面視で、中間層３０の外側に位置している。シート２０は、シート１０と別体に設けられている。中間層３０は、シート１０とシート２０との間に介在している。中間層３０は、外気の流路となる空気流通路を有している。寝具１は、シート１０における中間層３０の外側に位置する部分である外側部１０ａが中間層３０の側端の少なくとも一部を覆った状態である閉塞状態と、外側部１０ａが中間層３０の側端を全く覆わない状態である開放状態とを切り替えられるように構成されている。【選択図】図１
2020014937.tif 000002
【特許請求の範囲】
【請求項１】
敷寝具又は掛寝具として用いられる寝具であって、
第１のシートと、
前記第１のシートと別体に設けられた第２のシートと、
外気の流路となる空気流通路を有し、前記第１のシートと前記第２のシートとの間に介在する中間層と、を備え、
前記第１のシートの一部は、平面視で、前記中間層の外側に位置しており、
当該寝具は、前記第１のシートにおける前記中間層の外側に位置する部分である第１の外側部が前記中間層の側端の少なくとも一部を覆った状態である第１の閉塞状態と、前記第１の外側部が前記中間層の前記側端を全く覆わない状態である第１の開放状態とを切り替えられるように構成されていることを特徴とする寝具。
【請求項２】
請求項１に記載の寝具において、
平面視で、前記第１のシートの周縁部の全体が、前記中間層の外側に位置している寝具。
【請求項３】
請求項２に記載の寝具において、
前記第１の閉塞状態において、前記第１の外側部は、前記中間層の前記側端の全体を覆う寝具。
【請求項４】
請求項１乃至３の何れかに記載の寝具において、
前記第１の閉塞状態において、前記第１の外側部は、前記中間層の前記側端を覆った状態で固定することが可能である寝具。
【請求項５】
請求項４に記載の寝具において、
前記第１の閉塞状態において、前記第１の外側部は、当該第１の外側部の内面が前記第２のシートの外面に一時的に接続されることにより固定される寝具。
【請求項６】
請求項５に記載の寝具において、
前記第１及び第２のシートは、前記第１の外側部の前記内面を当該第２のシートの前記外面に一時的に接続するための第１の相互接続手段を有する寝具。
【請求項７】
請求項６に記載の寝具において、
前記第１の相互接続手段は、面ファスナ、ホック、又は磁石である寝具。
【請求項８】
請求項４に記載の寝具において、
前記第１の閉塞状態において、前記第１の外側部は、前記第２のシートと前記中間層との隙間に差し込まれることにより固定される寝具。
【請求項９】
請求項４に記載の寝具において、
前記中間層は、複層構造を有しており、
前記第１の閉塞状態において、前記第１の外側部は、前記中間層の層間に差し込まれることにより固定される寝具。
【請求項１０】
請求項１乃至９の何れかに記載の寝具において、
前記第１の開放状態において、前記第１の外側部は、前記中間層の前記側端を覆わない状態で固定することが可能である寝具。
【請求項１１】
請求項１０に記載の寝具において、
前記第１の開放状態において、前記第１の外側部は、当該第１の外側部の外面が前記第１のシートにおける当該第１の外側部以外の部分である第１の内側部の外面に一時的に接続されることにより固定される寝具。
【請求項１２】
請求項１１に記載の寝具において、
前記第１のシートは、前記第１の外側部の前記外面を前記第１の内側部の前記外面に一時的に接続するための第１の自己接続手段を有する寝具。
【請求項１３】
請求項１２に記載の寝具において、
前記第１の自己接続手段は、面ファスナ、ホック、又は磁石である寝具。
【請求項１４】
請求項１乃至１３の何れかに記載の寝具において、
前記第２のシートの一部は、平面視で、前記中間層の外側に位置しており、
当該寝具は、前記第２のシートにおける前記中間層の外側に位置する部分である第２の外側部が前記中間層の側端の少なくとも一部を覆った状態である第２の閉塞状態と、前記第２の外側部が前記中間層の前記側端を全く覆わない状態である第２の開放状態とを切り替えられるように構成されている寝具。
【請求項１５】
請求項１４に記載の寝具において、
平面視で、前記第２のシートの周縁部の全体が、前記中間層の外側に位置している寝具。
【請求項１６】
請求項１５に記載の寝具において、
前記第２の閉塞状態において、前記第２の外側部は、前記中間層の前記側端の全体を覆う寝具。
【請求項１７】
請求項１４乃至１６の何れかに記載の寝具において、
前記第２の閉塞状態において、前記第２の外側部は、前記中間層の前記側端を覆った状態で固定することが可能である寝具。
【請求項１８】
請求項１７に記載の寝具において、
前記第２の閉塞状態において、前記第２の外側部は、当該第２の外側部の内面が前記第１のシートの外面に一時的に接続されることにより固定される寝具。
【請求項１９】
請求項１８に記載の寝具において、
前記第１及び第２のシートは、前記第２の外側部の前記内面を当該第１のシートの前記外面に一時的に接続するための第２の相互接続手段を有する寝具。
【請求項２０】
請求項１９に記載の寝具において、
前記第２の相互接続手段は、面ファスナ、ホック、又は磁石である寝具。
【請求項２１】
請求項１７に記載の寝具において、
前記第２の閉塞状態において、前記第２の外側部は、前記第１のシートと前記中間層との隙間に差し込まれることにより固定される寝具。
【請求項２２】
請求項１７に記載の寝具において、
前記中間層は、複層構造を有しており、
前記第２の閉塞状態において、前記第２の外側部は、前記中間層の層間に差し込まれることにより固定される寝具。
【請求項２３】
請求項１４乃至２２の何れかに記載の寝具において、
前記第２の開放状態において、前記第２の外側部は、前記中間層の前記側端を覆わない状態で固定することが可能である寝具。
【請求項２４】
請求項２３に記載の寝具において、
前記第２の開放状態において、前記第２の外側部は、当該第２の外側部の外面が前記第２のシートにおける当該第２の外側部以外の部分である第２の内側部の外面に一時的に接続されることにより固定される寝具。
【請求項２５】
請求項２４に記載の寝具において、
前記第２のシートは、前記第２の外側部の前記外面を前記第２の内側部の前記外面に一時的に接続するための第２の自己接続手段を有する寝具。
【請求項２６】
請求項２５に記載の寝具において、
前記第２の自己接続手段は、面ファスナ、ホック、又は磁石である寝具。
【請求項２７】
請求項１乃至１３の何れかに記載の寝具において、
平面視で、前記第２のシートの全体が、前記中間層の内側に位置している寝具。
【請求項２８】
請求項１乃至２７の何れかに記載の寝具において、
前記中間層は、当該中間層の厚み方向に延びる複数の突出部によって構成されており、
前記複数の突出部は、相互に離間している寝具。
【請求項２９】
請求項２８に記載の寝具において、
前記各突出部は、弾性素材からなる寝具。
【請求項３０】
請求項１乃至２７の何れかに記載の寝具において、
前記中間層は、気泡緩衝材からなる寝具。
【請求項３１】
請求項３０に記載の寝具において、
前記中間層は、複数の前記気泡緩衝材が積層されてなる寝具。
【請求項３２】
請求項１乃至２７の何れかに記載の寝具において、
前記中間層は、段ボールからなる寝具。
【請求項３３】
請求項３２に記載の寝具において、
前記段ボールは、巻き段ボールである寝具。
【請求項３４】
請求項３２又は３３に記載の寝具において、
前記中間層は、複数の前記段ボールが積層されてなる寝具。
【請求項３５】
請求項１乃至３４の何れかに記載の寝具において、
前記中間層の厚みは、５ｍｍ以上である寝具。
【請求項３６】
請求項１乃至３５の何れかに記載の寝具において、
前記第１及び第２のシートは、非通気性素材からなる寝具。
【請求項３７】
請求項３６に記載の寝具において、
前記第１及び第２のシートの外面は、アルミニウムからなる寝具。
【発明の詳細な説明】
【技術分野】
【０００１】
本発明は、敷寝具又は掛寝具として用いられる寝具に関する。
【背景技術】
【０００２】
従来の寝具としては、例えば特許文献１に記載されたものがある。同文献に記載の寝具は、断熱層、給熱層及び緩衝層が順に積層された構造を有している。給熱層は、水が循環する放熱管路（給熱手段）からなる。この寝具においては、放熱管路を循環する水の温度を変えることにより、当該寝具の温度を調節することができる。
【先行技術文献】
【特許文献】
【０００３】
【特許文献１】特開２００５−１４３７２９号公報
【発明の概要】
【発明が解決しようとする課題】
【０００４】
上述の寝具は、温度調節が可能であるため、寒いときでも暑いときでも快適に使用することが可能である。しかしながら、放熱管路を循環する水の温度を変えるためには、電気やガス等のエネルギーが必要となる。そのため、かかるエネルギー供給が断たれた環境下（例えば災害時）では、寝具の温度調節ができないという問題がある。
【０００５】
本発明は、上記課題に鑑みてなされたものであり、電気やガスが不要でありながら、寒暑を問わず快適に使用することのできる寝具を提供することを目的とする。
【課題を解決するための手段】
【０００６】
本発明による寝具は、敷寝具又は掛寝具として用いられる寝具であって、第１のシートと、上記第１のシートと別体に設けられた第２のシートと、外気の流路となる空気流通路を有し、上記第１のシートと上記第２のシートとの間に介在する中間層と、を備え、上記第１のシートの一部は、平面視で、上記中間層の外側に位置しており、当該寝具は、上記第１のシートにおける上記中間層の外側に位置する部分である第１の外側部が上記中間層の側端の少なくとも一部を覆った状態である第１の閉塞状態と、上記第１の外側部が上記中間層の上記側端を全く覆わない状態である第１の開放状態とを切り替えられるように構成されていることを特徴とする。
【０００７】
この寝具においては、第１のシートの一部が、中間層の外側に食み出している。そして、当該寝具は、第１のシートにおける中間層の外側に位置する部分（第１の外側部）が中間層の側端の少なくとも一部を覆った状態（第１の閉塞状態）と、第１の外側部が中間層の側端を全く覆わない状態（第１の開放状態）とが切り替えられるように構成されている。
【０００８】
第１の閉塞状態においては、中間層の側端が第１の外側部で覆われるため、空気流通路を外気が流れにくくなる。この場合、空気流通路内に空気が籠りやすくなるため、当該空気の断熱効果により、寒いときの寝具の温度低下を抑制することができる。他方、第１の開放状態においては、中間層の側端が第１の外側部で覆われないため、空気流通路を外気が流れやすくなる。この場合、空気流通路内の空気が換気されやすくなるため、暑いときの寝具の温度上昇を抑制することができる。このため、当該寝具は、第１の閉塞状態と第１の開放状態とを切り替えることにより、電気やガスを用いなくても、寒暑を問わず快適に使用することができる。
【発明の効果】
【０００９】
本発明によれば、電気やガスが不要でありながら、寒暑を問わず快適に使用することのできる寝具が実現される。
【図面の簡単な説明】
【００１０】
【図１】本発明による寝具の第１実施形態を示す平面図である。
【図２】図１のII−II線に沿った端面図である。
【図３】外側部１０ａが閉塞状態にあるときの寝具１を示す平面図である。
【図４】外側部１０ａが閉塞状態にあるときの寝具１を示す端面図である。
【図５】外側部１０ａが開放状態にあるときの寝具１を示す端面図である。
【図６】中間層３０を示す平面図である。
【図７】図６のVII−VII線に沿った端面図である。
【図８】本発明による寝具の第２実施形態を示す平面図である。
【図９】図８のIX−IX線に沿った端面図である。
【図１０】外側部１０ａ及び外側部２０ａが閉塞状態にあるときの寝具２を示す平面図である。
【図１１】外側部１０ａ及び外側部２０ａが閉塞状態にあるときの寝具２を示す端面図である。
【図１２】外側部１０ａ及び外側部２０ａが開放状態にあるときの寝具２を示す端面図である。
【図１３】外側部１０ａを固定する方法の一例を説明するための端面図である。
【図１４】中間層３０の一変形例を説明するための端面図である。
【図１５】外側部１０ａを固定する方法の他の例を説明するための端面図である。
【図１６】中間層３０の他の変形例を説明するための端面図である。
【図１７】中間層３０の他の変形例を説明するための端面図である。
【図１８】中間層３０の他の変形例を説明するための端面図である。
【図１９】中間層３０の他の変形例を説明するための端面図である。
【図２０】中間層３０に用いる段ボール６４の一例を示す端面図である。
【発明を実施するための形態】
【００１１】
以下、図面を参照しつつ、本発明の実施形態について詳細に説明する。なお、図面の説明においては、同一要素には同一符号を付し、重複する説明を省略する。
（第１実施形態）
【００１２】
図１は、本発明による寝具の第１実施形態を示す平面図である。また、図２は、図１のII−II線に沿った端面図である。寝具１は、シート１０（第１のシート）、シート２０（第２のシート）、及び中間層３０を備えている。中間層３０は、シート１０とシート２０との間に介在している。中間層３０の厚みは、例えば５ｍｍ以上３ｃｍ以下である。
【００１３】
寝具１は、敷寝具（座布団を含む。）又は掛寝具として用いられる。すなわち、寝具１は、敷寝具として用いてもよいし、掛寝具として用いてもよい。また、２つの寝具１を準備して、一方の寝具１を敷寝具として用いるとともに、もう一方の寝具１を掛寝具として同時に用いてもよい。なお、寝具１は、シート１０を上に向けて使用してもよいし、シート２０を上に向けて使用してもよい。
【００１４】
シート１０の一部は、平面視で、中間層３０の外側に位置している。本実施形態においては、平面視で、シート１０の周縁部の全体が、中間層３０の外側に位置している。平面視で、中間層３０の全体がシート１０に重なる一方、シート１０の一部のみが中間層３０に重なっている。シート１０における中間層３０の外側に位置する部分である外側部１０ａ（第１の外側部）は、平面視で環状（ロ字状）をしている。
【００１５】
シート１０は、略長方形状をしている。シート１０の長辺の長さは、例えば１８６ｃｍ以上２３４ｃｍ以下である。シート１０の短辺の長さは、例えば８６ｃｍ以上１２４ｃｍ以下である。また、シート１０の外側部１０ａの幅ｄ１（図１参照）は、中間層３０の厚みよりも大きく、例えば３ｃｍ以上７ｃｍ以下である。シート１０の厚みは、例えば５μｍ以上１ｍｍ以下である。なお、図面においては、見やすくするため、シート１０全体に対する外側部１０ａの比率を拡大して示している。同様の理由から、シート１０、シート２０及び中間層３０の厚みも拡大して示している。
【００１６】
シート１０は、中間層３０の下面に貼着されている。シート１０と中間層３０との貼着には、例えば粘着剤が用いられる。粘着剤は、シート１０における外側部１０ａ以外の部分である内側部１０ｂ（第１の内側部）の内面（中間層３０側の面）の全体に塗布されてもよいし、一部にのみ塗布されてもよい。内側部１０ｂは、平面視で、中間層３０の内側（中間層３０の周縁部を含む。）に位置する部分である。
【００１７】
シート１０は、通気性素材からなってもよいし、非通気性素材からなってもよい。シート１０は、柔軟性の高い素材からなることが好ましい。シート１０の外面（中間層３０と反対側の面）は、アルミニウムからなることが好ましい。その場合、シート１０として、アルミニウム箔を用いてもよいし、アルミ蒸着ポリエステル、アルミ蒸着ポリエチレン等のアルミ蒸着シートを用いてもよい。例えば、アルミ蒸着シートを用いてアルミを外面側にすることにより、外面がアルミニウムからなるシート１０を得ることができる。アルミ蒸着ポリエチレンは、アルミ蒸着低密度ポリエチレンであることが特に好ましい。また、シート１０の材料として、防水透湿性素材を用いてもよい。
【００１８】
シート２０は、シート１０と別体に設けられている。すなわち、シート１０及びシート２０は、後述する閉塞状態にあるときを除いて、相互に完全に分離している。シート２０は、平面視で、その全体が中間層３０の内側に位置している。シート２０と中間層３０とは、完全に重なり合っている。すなわち、平面視で、中間層３０の全体がシート２０に重なるとともに、シート２０の全体も中間層３０に重なっている。シート２０は、略長方形状をしている。シート２０の長辺の長さは、シート１０の長辺の長さよりも小さく、例えば１８０ｃｍ以上２２０ｃｍ以下である。シート２０の短辺の長さは、シート１０の短辺の長さよりも小さく、例えば８０ｃｍ以上１１０ｃｍ以下である。シート２０の厚みは、例えば５μｍ以上１ｍｍ以下である。
【００１９】
シート２０は、中間層３０の上面に貼着されている。シート２０と中間層３０との貼着には、例えば粘着剤が用いられる。粘着剤は、シート２０の内面（中間層３０側の面）の全体に塗布されてもよいし、一部にのみ塗布されてもよい。
【００２０】
シート２０は、通気性素材からなってもよいし、非通気性素材からなってもよい。シート２０は、柔軟性の高い素材からなることが好ましい。シート２０の外面（中間層３０と反対側の面）は、アルミニウムからなることが好ましい。その場合、シート２０として、アルミニウム箔を用いてもよいし、アルミ蒸着ポリエステル、アルミ蒸着ポリエチレン等のアルミ蒸着シートを用いてもよい。例えば、アルミ蒸着シートを用いてアルミを外面側にすることにより、外面がアルミニウムからなるシート２０を得ることができる。アルミ蒸着ポリエチレンは、アルミ蒸着低密度ポリエチレンであることが特に好ましい。また、シート２０の材料として、防水透湿性素材を用いてもよい。
【００２１】
寝具１は、シート１０の外側部１０ａが中間層３０の側端３０ａの少なくとも一部を覆った状態である閉塞状態（第１の閉塞状態）と、外側部１０ａが側端３０ａを全く覆わない状態である開放状態（第１の開放状態）とを切り替えられるように構成されている。図１及び図２は、外側部１０ａが開放状態にあるときの寝具１を示している。
【００２２】
図３及び図４は、それぞれ、外側部１０ａが閉塞状態にあるときの寝具１を示す平面図及び端面図である。図４は、図２と同様の端面を示している。閉塞状態において、外側部１０ａは、中間層３０の側端３０ａの全体を覆っている。中間層３０を包み込むようにして、外側部１０ａの全体がシート２０側に折り曲げられている。このとき、外側部１０ａは、中間層３０の側端３０ａを覆った状態で固定することが可能である。本実施形態において外側部１０ａは、その内面がシート２０の外面に一時的に接続されることにより固定される。ここで、「一時的に接続」とは、ユーザが道具を使うことなく外側部１０ａをシート２０から容易に離せるように接続するということである。
【００２３】
シート１０及びシート２０は、外側部１０ａの内面をシート２０の外面に一時的に接続するための接続手段４２（第１の相互接続手段）を有している。接続手段４２は、例えば、面ファスナ、ホック（スナップボタン等）、又は磁石である。面ファスナを用いる場合であれば、例えば、フックを外側部１０ａの内面に取り付けるとともに、ループをシート２０の外面（図４の状態においてフックと対向する部分）に取り付ければよい。接続手段４２は、シート１０の周縁部に沿って全体的に設けられてもよいし、部分的に設けられてもよい。後者の場合、接続手段４２を複数箇所に配置することが好ましい。なお、図１においては、接続手段４２の図示を省略している。
【００２４】
図５に示すように、開放状態において外側部１０ａは、中間層３０の側端３０ａを覆わない状態で固定することが可能である。外側部１０ａは、その外面がシート１０の内側部１０ｂの外面に一時的に接続されることにより固定される。シート１０は、外側部１０ａの外面を内側部１０ｂの外面に一時的に接続するための接続手段４４（第１の自己接続手段）を有している（図２参照）。接続手段４４は、例えば、面ファスナ、ホック、又は磁石である。面ファスナを用いる場合であれば、例えば、フックを外側部１０ａの外面に取り付けるとともに、ループを内側部１０ｂの外面（図５の状態においてフックと対向する部分）に取り付ければよい。接続手段４４は、シート１０の周縁部に沿って全体的に設けられてもよいし、部分的に設けられてもよい。後者の場合、接続手段４４を複数箇所に配置することが好ましい。なお、図３においては、接続手段４４の図示を省略している。
【００２５】
図６は、中間層３０を示す平面図である。また、図７は、図６のVII−VII線に沿った端面図である。中間層３０は、外気（寝具１の外部の空気）の流路となる空気流通路３２を有している。空気流通路３２は、中間層３０の側端３０ａの２箇所以上を通じて外部空間に連通している。そのため、側端３０ａのある箇所から空気流通路３２に入った外気は、空気流通路３２を通過して、側端３０ａの別の箇所から外部に出ることが可能である。空気流通路３２の少なくとも一部は、平面視で、中間層３０を縦断又は横断していることが好ましい。中間層３０内には、空気流通路３２が１つだけ存在してもよいし、複数存在してもよい。
【００２６】
中間層３０は、複数の突出部３４、支持シート３６、及び支持シート３８によって構成されている。複数の突出部３４は、相互に離間している。これにより、突出部３４どうしの隙間が空気流通路３２となる。各突出部３４は、中間層３０の厚み方向に延びている。各突出部３４は、弾性素材からなることが好ましい。かかる弾性素材としては、例えば、ゴム、スポンジ又はウレタンが挙げられる。各突出部３４は、円柱状の突起からなる。各突出部３４の径は、例えば１ｃｍ以上５ｃｍ以下である。突出部３４どうしの間隔は、各突出部３４の径よりも大きいことが好ましい。当該間隔は、例えば３ｃｍ以上１０ｃｍ以下である。また、各突出部３４の高さは、例えば３ｍｍ以上３ｃｍ以下である。
【００２７】
各突出部３４の下端は、支持シート３６の内面に接続されている。支持シート３６の外面は、中間層３０の下面を構成している。それゆえ、支持シート３６の外面にシート１０が貼着されている。支持シート３６の材料としては、ゴム、スポンジ、ウレタン又はプラスチックを用いることができる。
【００２８】
各突出部３４の上端は、支持シート３８の内面に接続されている。支持シート３８の外面は、中間層３０の上面を構成している。それゆえ、支持シート３８の外面にシート２０が貼着されている。支持シート３８の材料としては、ゴム、スポンジ、ウレタン又はプラスチックを用いることができる。なお、図１〜図５においては、中間層３０の詳細な構造の図示を省略している。
【００２９】
寝具１の効果を説明する。寝具１においては、シート１０の一部が、中間層３０の外側に食み出している。そして、寝具１は、シート１０の外側部１０ａが中間層３０の側端３０ａの少なくとも一部を覆った状態（閉塞状態）と、外側部１０ａが中間層３０の側端３０ａを全く覆わない状態（開放状態）とを切り替えられるように構成されている。
【００３０】
閉塞状態においては、中間層３０の側端３０ａが外側部１０ａで覆われるため、空気流通路３２を外気が流れにくくなる。この場合、空気流通路３２内に空気が籠りやすくなるため、当該空気の断熱効果により、寒いときの寝具１の温度低下を抑制することができる。他方、開放状態においては、中間層３０の側端３０ａが外側部１０ａで覆われないため、空気流通路３２を外気が流れやすくなる。この場合、空気流通路３２内の空気が換気されやすくなるため、暑いときの寝具１の温度上昇を抑制することができる。このため、寝具１は、閉塞状態と開放状態とを切り替えることにより、電気やガスを用いなくても、寒暑を問わず快適に使用することができる。
【００３１】
かかる寝具１は、電気やガス等のエネルギー供給が断たれた環境下においても、好適に使用することができる。それゆえ、寝具１は、災害時に避難所等において簡易寝具として使用するのに適している。また、寝具１は、キャンプや山登りの際に屋外で使用してもよいし、日常的に自宅で使用してもよい。なお、電気やガスを使える場合は、開放状態から閉塞状態に切り替える際、ドライヤーやヒーター等を用いて、空気流通路３２内に温かい空気を送り込んでから、側端３０ａを外側部１０ａで覆ってもよい。そうすることにより、寒いときにより快適に寝具１を使用することができる。
【００３２】
平面視で、シート１０の周縁部の全体が、中間層３０の外側に位置している。これにより、中間層３０の側端３０ａ全体をシート１０の外側部１０ａで覆うことが可能となる。
【００３３】
実際、閉塞状態において、外側部１０ａは、側端３０ａの全体を覆っている（図４参照）。これにより、空気流通路３２と外部空間とが分断されるため、寒いときに外部空間から空気流通路３２に寒気が入り込むのを防ぐことができる。このことは、寝具１の温度低下を抑制するのに有利である。
【００３４】
閉塞状態において、外側部１０ａは、中間層３０の側端３０ａを覆った状態で固定することが可能である。これにより、側端３０ａが外側部１０ａで覆われた状態を安定的に維持することができる。
【００３５】
閉塞状態において、外側部１０ａは、その内面がシート２０の外面に一時的に接続されることにより固定される。このため、中間層３０とシート２０との境界部分まで覆った状態で外側部１０ａを固定することができる。これにより、寒いときに外部空間から空気流通路３２に寒気が入り込むのを一層効果的に防ぐことができる。
【００３６】
シート１０及びシート２０は、外側部１０ａの内面をシート２０の外面に一時的に接続するための接続手段４２を有している。これにより、かかる接続手段をユーザ側で準備しなくても、外側部１０ａの内面をシート２０の外面に一時的に接続することが可能となる。
【００３７】
接続手段４２が面ファスナ、ホック又は磁石である場合、簡易かつ安価な構成で、接続手段４２を実現することができる。
【００３８】
開放状態において、外側部１０ａは、中間層３０の側端３０ａを覆わない状態で固定することが可能である。これにより、側端３０ａが外側部１０ａで覆われていない状態を安定的に維持することができる。
【００３９】
開放状態において、外側部１０ａは、その外面がシート１０の内側部１０ｂの外面に一時的に接続されることにより固定される。このため、内側部１０ｂ上に重ねた状態で外側部１０ａを固定することができる。これにより、開放状態で寝具１を使用する際、外側部１０ａが邪魔になりにくくなる。
【００４０】
シート１０は、外側部１０ａの外面を内側部１０ｂの外面に一時的に接続するための接続手段４４を有している。これにより、かかる接続手段をユーザ側で準備しなくても、外側部１０ａの外面を内側部１０ｂの外面に一時的に接続することが可能となる。
【００４１】
接続手段４４が面ファスナ、ホック又は磁石である場合、簡易かつ安価な構成で、接続手段４４を実現することができる。
【００４２】
平面視で、シート２０の全体が、中間層３０の内側に位置している。このため、シート１０の外側部１０ａを折り曲げる際にシート２０が干渉しないため、開放状態から閉塞状態への切替えを円滑に行いやすくなる。
【００４３】
中間層３０は、相互に離間している複数の突出部３４によって構成されている。この場合、突出部３４どうしの間隔や各突出部３４の高さを任意に設定できるため、空気流通路３２を広く確保しやすいという利点がある。
【００４４】
各突出部３４が弾性素材からなる場合、中間層３０ひいては寝具１全体のクッション性を高めることができる。クッション性の高い寝具１は、敷寝具として特に好適に用いることができる。
【００４５】
空気流通路３２を広く確保したり寝具１のクッション性を高めたりするには、中間層３０の厚みが大きい方が有利である。かかる観点から、中間層３０の厚みは、５ｍｍ以上であることが好ましい。他方、寝具１をコンパクトに構成して運搬や保管の便宜を高めるには、中間層３０の厚みが小さい方が有利である。かかる観点から、中間層３０の厚みは、３ｃｍ以下であることが好ましい。
【００４６】
シート１０及びシート２０が非通気性シートからなる場合、閉塞状態における空気流通路３２の気密性を高めるのに有利である。
【００４７】
シート１０及びシート２０の外面がアルミニウムからなる場合、寝具１全体の断熱効果を高めるのに有利である。
（第２実施形態）
【００４８】
図８は、本発明による寝具の第２実施形態を示す平面図である。また、図９は、図８のIX−IX線に沿った端面図である。寝具２は、シート１０、シート２０、及び中間層３０を備えている。中間層３０の構成は、第１実施形態で説明したとおりである。
【００４９】
シート１０の一部は、平面視で、中間層３０の外側に位置している。本実施形態においては、平面視で、シート１０の周縁部の一部のみが、中間層３０の外側に位置している。シート１０の外側部１０ａは、平面視でＬ字状をしている。
【００５０】
シート２０の一部は、平面視で、中間層３０の外側に位置している。本実施形態においては、平面視で、シート２０の周縁部の一部のみが、中間層３０の外側に位置している。シート２０における中間層３０の外側に位置する部分である外側部２０ａ（第２の外側部）は、平面視でＬ字状をしている。
【００５１】
本実施形態においてシート１０とシート２０とは、大きさが互いに等しい。すなわち、シート１０の長辺及び短辺の長さは、それぞれシート２０の長辺及び短辺の長さに等しい。ただし、シート１０とシート２０とは、平面視で、部分的にのみ重なり合うように配置されている。具体的には、平面視で、シート１０の内側部１０ｂとシート２０における外側部２０ａ以外の部分である内側部２０ｂ（第２の内側部）とは完全に重なり合う一方で、シート１０の外側部１０ａとシート２０の外側部２０ａとは全く重なり合わない。内側部２０ｂは、平面視で、中間層３０の内側に位置する部分である。
【００５２】
寝具２は、シート１０の外側部１０ａが中間層３０の側端３０ａの少なくとも一部を覆った状態である閉塞状態（第１の閉塞状態）と、外側部１０ａが側端３０ａを全く覆わない状態である開放状態（第１の開放状態）とを切り替えられるように構成されている。また、寝具２は、シート２０の外側部２０ａが中間層３０の側端３０ａの少なくとも一部を覆った状態である閉塞状態（第２の閉塞状態）と、外側部２０ａが側端３０ａを全く覆わない状態である開放状態（第２の開放状態）とを切り替えられるようにも構成されている。図８及び図９は、外側部１０ａ及び外側部２０ａの双方が開放状態にあるときの寝具２を示している。
【００５３】
図１０は、外側部１０ａ及び外側部２０ａが閉塞状態にあるときの寝具２を示す平面図である。また、図１１は、図１０の状態にある寝具２を示す端面図である。図１１は、図９と同様の端面を示している。第１の閉塞状態において、外側部１０ａは、中間層３０の側端３０ａの一部（図８における中間層３０の右側及び下側の部分）を覆っている。また、第２の閉塞状態において、外側部２０ａは、中間層３０の側端３０ａの残部（図８における中間層３０の左側及び上側の部分）を覆っている。それゆえ、第１及び第２の閉塞状態が同時に実現されているとき、中間層３０の側端３０ａの全体が、外側部１０ａ又は外側部２０ａによって覆われる。
【００５４】
第２の閉塞状態において、外側部２０ａは、中間層３０の側端３０ａを覆った状態で固定することが可能である。本実施形態において外側部２０ａは、その内面がシート１０の外面に一時的に接続されることにより固定される。シート１０及びシート２０は、外側部２０ａの内面をシート１０の外面に一時的に接続するための接続手段５２（第２の相互接続手段）を有している。接続手段５２は、例えば、面ファスナ、ホック、又は磁石である。面ファスナを用いる場合であれば、例えば、フックを外側部２０ａの内面に取り付けるとともに、ループをシート１０の外面（図１１の状態においてフックと対向する部分）に取り付ければよい。
【００５５】
図１２に示すように、第２の開放状態において外側部２０ａは、中間層３０の側端３０ａを覆わない状態で固定することが可能である。外側部２０ａは、その外面がシート２０の内側部２０ｂの外面に一時的に接続されることにより固定される。シート２０は、外側部２０ａの外面を内側部２０ｂの外面に一時的に接続するための接続手段５４（第２の自己接続手段）を有している（図９参照）。接続手段５４は、例えば、面ファスナ、ホック、又は磁石である。面ファスナを用いる場合であれば、例えば、フックを外側部２０ａの外面に取り付けるとともに、ループを内側部２０ｂの外面（図１２の状態においてフックと対向する部分）に取り付ければよい。なお、図８及び図１０においては、接続手段５４の図示を省略している。寝具２のその他の構成は、寝具１と同様である。
【００５６】
寝具２の効果を説明する。寝具２においては、シート１０の一部が、中間層３０の外側に食み出している。そして、寝具２は、シート１０の外側部１０ａが中間層３０の側端３０ａの少なくとも一部を覆った状態（第１の閉塞状態）と、外側部１０ａが中間層３０の側端３０ａを全く覆わない状態（第１の開放状態）とを切り替えられるように構成されている。
【００５７】
第１の閉塞状態においては、中間層３０の側端３０ａが外側部１０ａで覆われるため、空気流通路３２を外気が流れにくくなる。この場合、空気流通路３２内に空気が籠りやすくなるため、当該空気の断熱効果により、寒いときの寝具２の温度低下を抑制することができる。他方、第１の開放状態においては、中間層３０の側端３０ａが外側部１０ａで覆われないため、空気流通路３２を外気が流れやすくなる。この場合、空気流通路３２内の空気が換気されやすくなるため、暑いときの寝具２の温度上昇を抑制することができる。このため、寝具２は、第１の閉塞状態と第１の開放状態とを切り替えることにより、電気やガスを用いなくても、寒暑を問わず快適に使用することができる。
【００５８】
さらに、寝具２においては、シート２０の一部が、中間層３０の外側に食み出している。そして、寝具２は、シート２０の外側部２０ａが中間層３０の側端３０ａの少なくとも一部を覆った状態（第２の閉塞状態）と、外側部２０ａが中間層３０の側端３０ａを全く覆わない状態（第２の開放状態）とを切り替えられるように構成されている。
【００５９】
第２の閉塞状態においては、中間層３０の側端３０ａが外側部２０ａで覆われるため、空気流通路３２を外気が流れにくくなる。この場合、空気流通路３２内に空気が籠りやすくなるため、当該空気の断熱効果により、寒いときの寝具２の温度低下を抑制することができる。他方、第２の開放状態においては、中間層３０の側端３０ａが外側部２０ａで覆われないため、空気流通路３２を外気が流れやすくなる。この場合、空気流通路３２内の空気が換気されやすくなるため、暑いときの寝具２の温度上昇を抑制することができる。このため、寝具２は、第２の閉塞状態と第２の開放状態とを切り替えることにより、電気やガスを用いなくても、寒暑を問わず快適に使用することができる。
【００６０】
寝具２においては、第１の閉塞状態及び第１の開放状態間の切替えと、第２の閉塞状態及び第２の開放状態間の切替えとを互いに独立して行うことが可能である。このため、外側部１０ａ及び外側部２０ａの双方が閉塞状態にあるパターン（第１のパターン）、並びに外側部１０ａ及び外側部２０ａの双方が開放状態にあるパターン（第２のパターン）に加えて、外側部１０ａ又は外側部２０ａの何れか一方が閉塞状態にあり他方が開放状態にあるパターン（第３のパターン）も実現可能となる。これらの３パターンを適宜使い分けることにより、寝具２の温度調節をより細かく行うことができる。
【００６１】
第２の閉塞状態において、外側部２０ａは、中間層３０の側端３０ａを覆った状態で固定することが可能である。これにより、側端３０ａが外側部２０ａで覆われた状態を安定的に維持することができる。
【００６２】
第２の閉塞状態において、外側部２０ａは、その内面がシート１０の外面に一時的に接続されることにより固定される。このため、中間層３０とシート１０との境界部分まで覆った状態で外側部２０ａを固定することができる。これにより、寒いときに外部空間から空気流通路３２に寒気が入り込むのを一層効果的に防ぐことができる。
【００６３】
シート１０及びシート２０は、外側部２０ａの内面をシート１０の外面に一時的に接続するための接続手段５２を有している。これにより、かかる接続手段をユーザ側で準備しなくても、外側部２０ａの内面をシート１０の外面に一時的に接続することが可能となる。
【００６４】
接続手段５２が面ファスナ、ホック又は磁石である場合、簡易かつ安価な構成で、接続手段５２を実現することができる。
【００６５】
第２の開放状態において、外側部２０ａは、中間層３０の側端３０ａを覆わない状態で固定することが可能である。これにより、側端３０ａが外側部２０ａで覆われていない状態を安定的に維持することができる。
【００６６】
第２の開放状態において、外側部２０ａは、その外面がシート２０の内側部２０ｂの外面に一時的に接続されることにより固定される。このため、内側部２０ｂ上に重ねた状態で外側部２０ａを固定することができる。これにより、第２の開放状態で寝具２を使用する際、外側部２０ａが邪魔になりにくくなる。
【００６７】
シート２０は、外側部２０ａの外面を内側部２０ｂの外面に一時的に接続するための接続手段５４を有している。これにより、かかる接続手段をユーザ側で準備しなくても、外側部２０ａの外面を内側部２０ｂの外面に一時的に接続することが可能となる。
【００６８】
接続手段５４が面ファスナ、ホック又は磁石である場合、簡易かつ安価な構成で、接続手段５４を実現することができる。寝具２のその他の効果は、寝具１と同様である。
【００６９】
本発明は、上記実施形態に限定されるものではなく、様々な変形が可能である。上記実施形態においては、シート２０の周縁部の全体が、平面視で中間層３０の外側に位置していてもよい。その場合、第２の閉塞状態においてシート２０の外側部２０ａは、中間層３０の側端３０ａの全体を覆うことが好ましい。このようにシート２０の周縁部の全体が中間層３０の外側に位置する場合、中間層３０の側端３０ａの同一箇所を、シート１０の外側部１０ａ及びシート２０の外側部２０ａによって重畳的に覆うことが可能となる。このことは、第１及び第２の閉塞状態における空気流通路３２の気密性を高めるのに有利である。
【００７０】
上記実施形態においては、シート１０の外側部１０ａが、その内面がシート２０の外面に一時的に接続されることにより固定される場合を例示した。しかし、第１の閉塞状態において外側部１０ａは、図１３に示すように、シート２０と中間層３０との隙間に差し込まれることにより固定されてもよい。その場合、シート２０と中間層３０とは、外側部１０ａが差し込まれる部分を残して、部分的に貼着される。かかる構成によれば、接続手段４２を設けなくても、外側部１０ａの固定を行うことができる。同様に、第２の閉塞状態において外側部２０ａは、シート１０と中間層３０との隙間に差し込まれることにより固定されてもよい。
【００７１】
上記実施形態においては、中間層３０が単層構造を有する場合を例示した。しかし、中間層３０は、図１４に示すように、複層構造を有していてもよい。同図において中間層３０は、複数の層３０２，３０４からなる。層３０２と層３０４とは、互いに貼着されている。各層３０２，３０４の構成は、図６及び図７に示した中間層３０の構成と同様である。
【００７２】
このとき、第１の閉塞状態において外側部１０ａは、図１５に示すように、中間層３０の層間（層３０２と層３０４との隙間）に差し込まれることにより固定されてもよい。その場合、層３０２と層３０４とは、外側部１０ａが差し込まれる部分を残して、部分的に貼着される。かかる構成によれば、接続手段４２を設けなくても、外側部１０ａの固定を行うことができる。同様に、第２の閉塞状態において外側部２０ａは、中間層３０の層間に差し込まれることにより固定されてもよい。
【００７３】
上記実施形態においては、中間層３０が支持シート３６及び支持シート３８を有する場合を例示した。しかし、中間層３０に支持シート３６及び支持シート３８を設けることは、必須でない。すなわち、中間層３０は、支持シート３６又は支持シート３８の何れか一方のみを有していてもよいし、何れも有していなくてもよい。後者の場合、中間層３０は、突出部３４のみによって構成される。支持シート３６を設けない場合、各突出部３４の下端は、シート１０の内面に直接接続される。また、支持シート３８を設けない場合、各突出部３４の上端は、シート２０の内面に直接接続される。
【００７４】
上記実施形態においては、図１６及び図１７に示すように、中間層３０として気泡緩衝材６２を用いてもよい。図１６においては、中間層３０が、１枚の気泡緩衝材６２からなる単層構造を有している。一方、図１７においては、中間層３０が、複数（本例においては２枚）の気泡緩衝材６２が積層されてなる複層構造を有している。複数の気泡緩衝材６２は、互いに貼着されている。気泡緩衝材６２は、平坦なフィルム上に、空気が閉じ込められた複数の突起が設けられた構造をしている。気泡緩衝材６２においては、突起どうしの隙間が空気流通路３２となる。
【００７５】
このように気泡緩衝材６２を用いた場合、クッション性及び軽量性の点で特に優れた寝具１，２を実現することができる。また、突起内にも空気が閉じ込められているため、中間層３０全体の断熱効果を高めることができる。さらに、気泡緩衝材６２は柔軟性が高いため、寝具１，２全体の柔軟性も高めることができる。柔軟性の高い寝具１，２は、掛寝具として特に好適に用いることができる。なお、図１７においては２枚の気泡緩衝材６２が背中合わせになるように（すなわち、フィルムどうしが接するように）積層された例を示しているが、２枚の気泡緩衝材６２は、向かい合わせになるように（すなわち、突起どうしが接するように）積層されてもよいし、向きが揃うように（すなわち、一方の気泡緩衝材６２のフィルムと他方の気泡緩衝材６２の突起とが接するように）積層されてもよい。
【００７６】
上記実施形態においては、図１８及び図１９に示すように、中間層３０として段ボール６４を用いてもよい。図１８においては、中間層３０が、１枚の段ボール６４からなる単層構造を有している。一方、図１９においては、中間層３０が、複数（本例においては２枚）の段ボール６４が積層されてなる複層構造を有している。複数の段ボール６４は、互いに貼着されている。段ボール６４は、波型の中芯が２枚のライナーで挟まれた構造をしている。段ボール６４においては、ライナー間の空間に、紙巾方向（図１８及び図１９において紙面に垂直な方向）に延在する複数の空気流通路３２が存在する。このように段ボール６４を用いた場合、クッション性の点で特に優れた寝具１，２を実現することができる。また、ライナー間の空間の広範囲（中芯が存在しない部分の全体）に空気流通路３２が存在するため、中間層３０全体の断熱効果を高めることができる。さらに、段ボール６４は剛性が高いため、敷寝具として使用したときに寝具１，２がずれにくいという利点がある。
【００７７】
段ボール６４としては、図２０に示すように、波型の中芯の片側にのみライナーが設けられた構造の巻き段ボールを用いてもよい。巻き段ボールを用いることにより、寝具１，２を巻いた状態にすることが可能となるため、運搬や保管の便宜を高めることができる。その場合も、中間層３０は、１枚の巻き段ボールからなる単層構造を有してもよいし、複数の巻き段ボールが積層されてなる複層構造を有してもよい。２枚の巻き段ボールは、背中合わせになるように（すなわち、ライナーどうしが接するように）積層されてもよいし、向かい合わせになるように（すなわち、中芯どうしが接するように）積層されてもよい。また、２枚の巻き段ボールは、向きが揃うように（すなわち、一方の巻き段ボールのライナーと他方の巻き段ボールの中芯とが接するように）積層されてもよい。
【符号の説明】
【００７８】
１  寝具
２  寝具
１０  シート（第１のシート）
１０ａ  外側部（第１の外側部）
１０ｂ  内側部（第１の内側部）
２０  シート（第２のシート）
２０ａ  外側部（第２の外側部）
２０ｂ  内側部（第２の内側部）
３０  中間層
３０ａ  側端
３２  空気流通路
３４  突出部
３６  支持シート
３８  支持シート
４２  接続手段（第１の相互接続手段）
４４  接続手段（第１の自己接続手段）
５２  接続手段（第２の相互接続手段）
５４  接続手段（第２の自己接続手段）
６２  気泡緩衝材
６４  ダンボール
【図１】
2020014937.tif 000003
【図２】
2020014937.tif 000004
【図３】
2020014937.tif 000005
【図４】
2020014937.tif 000006
【図５】
2020014937.tif 000007
【図６】
2020014937.tif 000008
【図７】
2020014937.tif 000009
【図８】
2020014937.tif 000010
【図９】
2020014937.tif 000011
【図１０】
2020014937.tif 000012
【図１１】
2020014937.tif 000013
【図１２】
2020014937.tif 000014
【図１３】
2020014937.tif 000015
【図１４】
2020014937.tif 000016
【図１５】
2020014937.tif 000017
【図１６】
2020014937.tif 000018
【図１７】
2020014937.tif 000019
【図１８】
2020014937.tif 000020
【図１９】
2020014937.tif 000021
【図２０】
2020014937.tif 000022